(57)【要約】【課題】内側に隔壁のない単純形状の皿状容器を用いて、互いに隔離された複数の収納空間を画成形成可能な物品収納容器を提供する。【解決手段】物品１を収納する有底筒状の容器本体１２と、該容器本体の上端開口縁部１２ａに剥離可能に貼着されて前記上端開口縁部を閉塞するシート状の蓋部１４と、該容器本体内に収納される第１の皿状容器１６とを備え、該第１の皿状容器は、その上端開口縁部１６ａが前記蓋部の下面に剥離可能に貼着されて支持される物品収納容器１０である。前記第１の皿状容器の内側には、該第１の皿状容器よりも小さい皿状容器１８が収容されるとともに、該収容された皿状容器の上端開口縁部１８ａは、その全周に亘って前記蓋部の下面または前記第１の皿状容器の上端開口縁部のうちの少なくともいずれか一方に支持される。【選択図】　　　図２
2004067106.tif 000002
【特許請求の範囲】
【請求項１】
物品を収納する有底筒状の容器本体と、該容器本体の上端開口縁部に剥離可能に貼着されて前記上端開口縁部を閉塞するシート状の蓋部と、該容器本体内に収納される第１の皿状容器とを備え、該第１の皿状容器は、その上端開口縁部が前記蓋部の下面に剥離可能に貼着されて支持される物品収納容器において、
前記第１の皿状容器の内側には、該第１の皿状容器よりも小さい皿状容器が収容されるとともに、該収容された皿状容器の上端開口縁部は、その全周に亘って前記蓋部の下面または前記第１の皿状容器の上端開口縁部のうちの少なくともいずれか一方に支持されることを特徴とする物品収納容器。
【請求項２】
前記第１の皿状容器の上端開口縁部における外縁側部分は、前記蓋部の下面に剥離可能に貼着される一方、その内側に位置する内縁側部分は貼着されず、
前記収容された皿状容器の上端開口縁部は、全周に亘って外向きのフランジ状に延出し、該上端開口縁部における外縁側部分が前記第１の皿状容器の上端開口縁部における前記内縁側部分に載置されて支持されることを特徴とする請求項１に記載の物品収納容器。
【請求項３】
前記フランジ状の上端開口縁部を有する皿状容器を、内側に進むに従って大きさが順次小さくなるように多段に収容するとともに、各皿状容器の上端開口縁部における内縁側部分に、その直近内側に収容された皿状容器の上端開口縁部における外縁側部分を載置して支持することを特徴とする請求項２に記載の物品収納容器。
【請求項４】
前記皿状容器の上端開口縁部には、該内周に沿って外縁側部分よりも内縁側部分の方が低くなるように環状の段差が形成され、該段差の内周には、その直近内側に収容される皿状容器の上端開口縁部における外縁側部分が嵌合することを特徴とする請求項２または３のいずれかに記載の物品収納容器。
【請求項５】
前記段差の高さは、該段差の内周と嵌合する前記外縁側部分の厚みに等しいことを特徴とする請求項４に記載の物品収納容器。
【請求項６】
前記上端開口縁部の外縁側部分は、その全周に亘って前記蓋部の下面に剥離可能に貼着されていることを特徴とする請求項１乃至５のいずれかに記載の物品収納容器。
【請求項７】
全ての皿状容器は透明または半透明であることを特徴とする請求項１乃至６のいずれかに記載の物品収納容器。
【発明の詳細な説明】
【０００１】
【発明の属する技術分野】
本発明は、剥離可能な蓋部によって上端開口縁部が閉塞された物品収納容器に関する。
【０００２】
【従来の技術】
粒状や棒状クラッカー等のスナック菓子の中には、食べる本人が自ら、チョコクリーム等の調味料を付けて食べるものがある。そして、通常は食べる直前にこの調味料をスナック菓子に付着させることから、この調味料はスナック菓子とは隔離されて菓子容器内に同封されている。
【０００３】
このようなスナック菓子の収納に供される菓子容器を図７に示すが、この菓子容器１００は、スナック菓子を収納するための有底筒状の容器本体１２と、この容器本体１２の上端開口縁部１２ａに剥離可能に貼着されて前記上端開口縁部１２ａを閉塞するためのシート状の蓋部１４と、この蓋部１４の下面に上端開口縁部１１６ａが剥離可能に貼着支持された皿状容器１１６とを備えている。そして、この皿状容器１１６の内側に調味料を収納することによって、前記容器本体１２内に収納されたスナック菓子とは互いに隔離するようになっている。
【０００４】
【発明が解決しようとする課題】
しかしながら、最近ではこの同封調味料は一種類ではなくて、例えばスナック菓子にクリームをつけて更にチップをまぶすというような二種類のものが多い。そして、これに対応させて皿状容器１１６の方でも、図示のようにその内側に二つの互いに隔離された収納空間１１７，１１９を備えるべく隔壁１１６ｂを一体に設けており、これに伴って、皿状容器１１６は単純な皿形状から隔壁１１６ａを備えた複雑な形状となり、もって成形費の増大を招いている。
【０００５】
また、今後は更に調味料の同封数の増加が予想され、これに伴い隔離された収納空間の必要数も増加することから皿状容器形状の更なる複雑化は必至である。
【０００６】
本発明はこのような事情に鑑みてなされたもので、その目的は、内側に隔壁のない単純形状の皿状容器を用いて、互いに隔離された複数の収納空間を画成形成可能な物品収納容器を提供することにある。
【０００７】
【課題を解決するための手段】
このような目的を達成するために本発明の請求項１に係る発明は、物品を収納する有底筒状の容器本体と、該容器本体の上端開口縁部に剥離可能に貼着されて前記上端開口縁部を閉塞するシート状の蓋部と、該容器本体内に収納される第１の皿状容器とを備え、該第１の皿状容器は、その上端開口縁部が前記蓋部の下面に剥離可能に貼着されて支持される物品収納容器において、前記第１の皿状容器の内側には、該第１の皿状容器よりも小さい皿状容器が収容されるとともに、該収容された皿状容器の上端開口縁部は、その全周に亘って前記蓋部の下面または前記第１の皿状容器の上端開口縁部のうちの少なくともいずれか一方に支持されることを特徴とする。
【０００８】
上記発明によれば、前記蓋部の下面に貼着支持される第１の皿状容器は、その内側にこの第１の皿状容器よりも小さい皿状容器を収容している。そして、この収容された皿状容器の上端開口縁部は、その全周に亘って前記蓋部の下面または前記第１の皿状容器の上端開口縁部のうちの少なくともいずれか一方に支持される。よって、これら皿状容器同士の間には空間を画成可能であるとともに、この画成された空間と、前記収容された皿状容器の内側の空間とは、この収容された皿状容器が隔壁となって互いに隔離されている。つまり、蓋部の下面または前記第１の皿状容器の上端開口縁部のうちの少なくともいずれか一方に上端開口縁部が支持される皿状容器を一つ内側に収容することにより、これら二つの皿状容器は、互いに隔離された二つの収納空間を備えることが可能となる。
従って、皿状容器自体に隔壁を設けて自身の形状を複雑化することなく、単純な皿形状の皿状容器を用いて、二つの隔離した収納空間を備えることが可能となる。
【０００９】
請求項２に示す発明は、請求項１に記載の物品収納容器において、前記第１の皿状容器の上端開口縁部における外縁側部分は、前記蓋部の下面に剥離可能に貼着される一方、その内側に位置する内縁側部分は貼着されず、前記収容された皿状容器の上端開口縁部は、全周に亘って外向きのフランジ状に延出し、該上端開口縁部における外縁側部分が前記第１の皿状容器の上端開口縁部における前記内縁側部分に載置されて支持されることを特徴とする。
【００１０】
上記発明によれば、前記収容された皿状容器の上端開口縁部は、その全周に亘って外向きのフランジ状に延出し、この上端開口縁部の外縁側部分が前記第１の皿状容器の上端開口縁部における未貼着の内縁側部分に載置されて支持される。よって、前記第１の皿状容器は、この内側に収容された皿状容器を確実に支持することができる。
【００１１】
請求項３に示す発明は、請求項２に記載の物品収納容器において、前記フランジ状の上端開口縁部を有する皿状容器を、内側に進むに従って大きさが順次小さくなるように多段に収容するとともに、各皿状容器の上端開口縁部における内縁側部分に、その直近内側に収容された皿状容器の上端開口縁部における外縁側部分を載置して支持することを特徴とする。
【００１２】
上記発明によれば、内側に進むに従って順次大きさが小さくなる複数の皿状容器を、直近の皿状容器との間に空間を隔てて収容可能となる。そして、これにより、これら皿状容器同士の間毎に前記収納空間を形成することができて、もって、皿状容器の収容数の調整によって、互いに隔離された収納空間の数を任意に設定可能となる。
【００１３】
請求項４に示す発明は、請求項２または３のいずれかに記載の物品収納容器において、前記皿状容器の上端開口縁部には、該内周に沿って外縁側部分よりも内縁側部分の方が低くなるように環状の段差が形成され、該段差の内周には、その直近内側に収容される皿状容器の上端開口縁部における外縁側部分が嵌合することを特徴とする。
【００１４】
上記発明によれば、前記皿状容器の上端開口縁部における段差の内周に、その直近内側に収容される皿状容器の上端開口縁部の外縁側部分が嵌合するので、これら皿状容器同士の相対位置は規制される。よって、前記収容される皿状容器の支持状態の安定化が図れる。
【００１５】
請求項５に示す発明は、請求項４に記載の物品収納容器において、前記段差の高さは、該段差の内周と嵌合する前記外縁側部分の厚みに等しいことを特徴とする。
【００１６】
上記発明によれば、前記段差の高さは、該段差の内周と嵌合する前記外縁側部分の厚みに等しいので、この外縁側部分は、前記段差の内側に位置する内縁側部分と前記蓋部の下面とに挟まれて支持される。よって前記収容される皿状容器の支持状態の更なる安定化が図れる。
また、全ての皿状容器に亘って、前記外縁側部分の上面は互いに面一になるので、もってこれらに当接する蓋部に段状の折れ線が形成され難くなり、蓋部は平坦面を維持できて見栄えの良いものとなる。
【００１７】
請求項６に示す発明は、請求項１乃至５のいずれかに記載の物品収納容器において、前記上端開口縁部の外縁側部分は、その全周に亘って前記蓋部の下面に剥離可能に貼着されていることを特徴とする。
【００１８】
上記発明によれば、前記皿状容器の上端開口縁部における外縁側部分は、その全周に亘って前記蓋部の下面に剥離可能に貼着されているので、前記皿状容器を密閉することが可能となり、前記収納空間の隔離性および前記皿状容器の支持状態の安定性を更に向上することができる。
【００１９】
請求項７に示す発明は、請求項１乃至６のいずれかに記載の物品収納容器において、全ての皿状容器は透明または半透明であることを特徴とする。
【００２０】
上記発明によれば、全ての皿状容器に亘ってその内側を視認可能である。よって、皿状容器が何段に亘って内側に収容されているのか、またこれらの皿状容器内に収納された内容物がそれぞれに何であるのか等の情報を皿状容器の開封前に予め知ることができる。従って、安全に開封することができる。
【００２１】
【発明の実施の形態】
以下、本発明に係る実施形態について詳細に説明する。
＝＝＝　第１実施形態の物品収納容器　＝＝＝
図１は、本発明に係る第１実施形態の物品収納容器の外観を示す斜視図である。図２は第１実施形態の物品収納容器を、その構成物品単位に分解して示す分解斜視図である。図３は第１実施形態の物品収納容器の縦断面図である。図４は、図３中のＩＶ部を拡大して示す拡大図である。図５は第１実施形態の変形例の縦断面図である。尚、図が見え難くなるのを防ぐべく、図３〜図５では皿状容器の断面線は省略して示している。
【００２２】
−−−全体構成−−−
図１および図２に示すように本実施形態の物品収納容器１０は、食品を収納する食品収納容器として機能し、粒状クラッカー等のメインの食品を収納する有底筒状の容器本体１２と、この容器本体１２の上端開口縁部１２ａに剥離可能に貼着されてこの上端開口縁部１２ａを閉塞するシート状の蓋部１４と、この蓋部１４の下面に貼着支持されて前記容器本体１２内に収納される第１の皿状容器１６とを備えている。尚、この第１の皿状容器１６の内側には、これよりも更にひとまわり小さな皿状容器１８が収容されており、これによって、図３に示すように、これら皿状容器１６，１８の内側の空間１７，１９同士は、互いに隔離された二つの収納空間となる。従って、これら収納空間１７，１９毎に調味料を１種類ずつ収納すれば、合計２種類の調味料等を互いに接触させずに収納可能となる。尚、以下では、前記第１の皿状容器１６としての大きい方の皿状容器を皿状容器（大）１６と、また小さい方を皿状容器（小）１８と言う。また、全図に亘って前記調味料は図示していない。
【００２３】
−−−容器本体−−−
図２に示すように、容器本体１２は、所定厚みのテーパー円筒紙管を胴部１２ｂとし、その上端から下端に向かうに従ってその外径は小径になっている。この紙管の素材には、容器本体１２の密閉性を高めるべくアルミコーティングされた紙が使用され、そのコーティング面を内周側に向けてテーパ円筒状に巻かれている。尚、このアルミコーティングに代えてシリカ（ＳｉＯ２）蒸着を施しても類似の密閉効果を奏することができる。
【００２４】
この胴部１２ｂにおける下端から所定高さの部分には、円形の底部１２ｃが固着されて前記部分を閉塞し、もって高台１２ｄを有する上げ底に形成されている。　一方、前記胴部１２ｂの上端縁には上端開口縁部１２ａが形成されている。この上端開口縁部１２ａは、前記上端縁の全周に亘って径方向の外方に向かって水平に延出する円環状のフランジ部１２ａを有し、このフランジ部１２ａは前記胴部１２ｂと同軸に一体成形されている。そして、このフランジ部１２ａの上面には、後で説明する蓋部１４が貼着される。尚、このフランジ部１２ａの平面視外形は胴部１２ｂの上端縁に倣わせて円形にしているが、これに限るものではなく等辺多角形等にしても良い。
【００２５】
−−−蓋部−−−
図１に示す蓋部１４も、前記容器本体１２と同じくアルミコーティングされた紙であり、その平面視外形は、前記フランジ部１２ａに倣わせて、当該フランジ部１２ａ外径よりもやや大きめの円形である。そして、この蓋部１４は、容器本体１２と同軸に配されつつ前記フランジ部１２ａの上面の全周に亘ってホットメルト接着剤等によって剥離可能に貼着され、もって容器本体１２の上端開口縁部１２ａを密閉するようになっている。尚、蓋部１４の外縁の一部は径方向外方に突出しており、この突出部１４ｂは開封時に摘むための摘み部１４ｂとなる。
【００２６】
−−−皿状容器（大）−−−
図３に示すように、この蓋部１４の下面には、前記皿状容器（大）１６が、その上端開口縁部１６ａにおける後記外縁側部分１６ｄが剥離可能に貼着されることによって支持されている。この皿状容器（大）１６は透明なプラスチック製容器であり、縁の有る帽子形状に一体成形されている。尚、その底部１６ｃの深さは浅底に形成され、当該皿状容器（大）１６を容器本体１２内の上部に収容した収容状態においても、その下方には、前記メインの食品１を収納するに十分な大きさの空間が確保されるようになっている。
【００２７】
この皿状容器（大）１６の胴部１６ｂは、そのテーパー勾配をほぼ前記容器本体１２に倣わせたテーパー円筒状であり、その下端は、当該下端縁に沿って円形の底部１６ｃが一体に連設されて閉塞されている。尚、抵抗なく容器本体１２内に収容可能にすべく、胴部１６ｂの外径は、前記収容状態において対面する容器本体１２の部分の内径よりも小径となっており、もってこの収容時には、容器本体１２の内周面と所定の隙間を隔てて対向する。
【００２８】
尚、本実施形態にあっては、胴部１６ａを容器本体１２に倣わせてテーパー円筒状にしているが、容器本体１２内に抵抗なく収容可能であればこれに限るものではなく、外径が高さ方向に亘って一定のストレート円筒状であっても良いし、更にはその横断面形状を等辺多角形等にしても良い。
【００２９】
この胴部１６ｂの上端である上端開口縁部１６ａは、全周に亘って径方向の外方に水平に延出した、前記胴部１６ｂと同軸の円環フランジ状になっている。この上端開口縁部１６ａの外径は、前記容器本体１２内に抵抗なく収容可能にすべく、少なくとも容器本体１２の上端開口縁部１２ａの内径よりも小さく設定されている。
【００３０】
この上端開口縁部１６ａの上面には、その外縁側部分１６ｄよりも内縁側部分１６ｅの方が一段低くなるように円環状の段差１６ｆが全周に亘って形成されている。そして、この外縁側部分１６ｄの上面が、その全周に亘って前記蓋部１４の下面に剥離可能に貼着されて前記上端開口縁部１６ａを密閉する密閉部として機能する一方、内縁側部分１６ｅは、この内側に収容される皿状容器（小）１８を載置支持するための支持部として機能する。
【００３１】
尚、本実施形態においては、前記段差１６ｆの平面視外形は、これと嵌合する皿状容器（小）１８の後記外縁側部分１８ｄの平面外形に揃えて円形にしているが、前記外縁側部分１８ｄと嵌合可能に互いの形状を揃えていればこれに限るものではなく、例えば等辺多角形等にしても良い。更には、皿状容器（大）１６の前記外縁側部分１６ｄの平面視外形を、前記胴部１６ｂに倣わせて円形にしているが、これに限るものではなく等辺多角形等にしても良い。
【００３２】
−−−皿状容器（小）−−−
図３に示すように、前記皿状容器（小）１８は、前記皿状容器（大）１６よりもひとまわり小さい縁有り帽子形状のプラスチック製透明容器である。すなわち、この皿状容器（小）１８は、前記胴部１６ｂよりもひとまわり小さいテーパー円筒状の胴部１８ｂと、この胴部１８ｂの下端縁に沿って連設されて当該下端を閉塞する円形の底部１８ｃとからなる。そして、前記胴部１８ｂの上端である上端開口縁部１８ａは、全周に亘って径方向の外方に水平に延出した、前記胴部１８ｂと同軸の円環フランジ状に形成されている。
【００３３】
この皿状容器（小）１８が前記皿状容器（大）１６の内側に収容された状態にあっては、図４に示すように、この皿状容器（小）１８の上端開口縁部１８ａにおける外縁側部分１８ｄは、前記皿状容器（大）１６の上端開口縁部１６ａにおける段差１６ｆ内周に軽く嵌合するとともに、この段差１６ｆの内側に位置する前記内縁側部分１６ｅに、その全周に亘って載置されて支持される。尚、この嵌合によって皿状容器１６，１８同士の間の相対位置は規制されるため、前記皿状容器（小）１８の支持状態を安定化させることができる。
【００３４】
また、この収容状態においては、前記皿状容器（小）１８は前記外縁側部分１８ｄによって支持されるため、その底部１８ｃおよび胴部１８ｂは、皿状容器（大）１６の内面から所定の隙間を隔てて対向しており、もって皿状容器（大）１６との間に所定の大きさの空間１７が画成されるようになっている。そして、この画成された空間１７は、前記皿状容器（小）１８の内側の空間１９とは、当該皿状容器（小）１９が隔壁となって互いに隔離されている。つまり、前記円環フランジ状の上端開口縁部１８ａを有する皿状容器（小）１８を皿状容器（大）１６の内側に一つ備えることにより、これら二つの皿状容器１６，１８は、全体として互いに隔離された二つの収納空間１７，１９を備えることが可能となる。従って、皿状容器自体に隔壁を設けて自身の形状を複雑化することなく、単純な皿形状の皿状容器を用いて、二つの隔離した収納空間を備えることが可能となる。
【００３５】
ところで、図４に示すように、この皿状容器（小）１８の円環フランジ状上端開口縁部１８ａの上面にも、前記皿状容器（大）１６と同様に円環状の段差１８ｆが全周に亘って形成されており、その外縁側部分１８ｄより内縁側部分１８ｅの方が一段低くなっている。そして、この外縁側部分１８ｄは、前述したように皿状容器（大）１６の前記段差１６ｆに嵌合して支持される一方で、内縁側部分１８ｅは、図５に示すような、皿状容器（小）１８の内側に更に小さい皿状容器（極小）２０を収容する場合において、当該皿状容器（極小）２０を載置支持するための支持部として機能する。すなわち、この皿状容器（極小）２０の上端開口縁部２０ａは、前記皿状容器（小）１８と同様に円環フランジ状に形成され、その外縁側部分２０ｄが、前記皿状容器１８の段差１８ｆの内周に嵌合するようになっている。
【００３６】
ちなみに、このような円環フランジ状の上端開口縁部を有する皿状容器を、更に内側に直列させて多段に収容しても良く、そうすることによって、内側に進むに従って順次大きさの小さくなる皿状容器を、直近の皿状容器との間に空間を隔てつつ収容可能となる。そして、これにより、これら皿状容器同士の間毎に前記収納空間を形成することができて、もって、この皿状容器の収容数の調整によって、互いに隔離された収納空間の数を任意に設定可能となる。
【００３７】
尚、前記皿状容器（極小）２０を設けない場合には、前記皿状容器（小）１８の上端開口縁部１８ａには段差１８ｆを形成しなくても良く、つまり円環フランジ状の上端開口縁部１８ａを段差１８ｆの無い平坦形状にしても良い。但し、前記段差１８ｆを形成した皿状容器（小）１８であれば、その内側に皿状容器（極小）２０を収容する場合と収容しない場合のいずれのケースにも対応することができるので、皿状容器（小）１８の共通化が図れて更なるコストダウンが可能となる。
【００３８】
−−−第１実施形態に係るその他の望ましい構成−−−
以上、第１実施形態の物品収納容器１０について説明してきたが、以下のようにすると皿状容器（小）１８、皿状容器（極小）２０，…の支持状態等を更に安定化させることができて望ましい。
【００３９】
すなわち、前記全ての皿状容器（大）１６，（小）１８，（極小）２０，…に関して、各円環フランジ状の上端開口縁部１６ａ，１８ａ，…に形成された前記段差１６ｆ，１８ｆ，…の高さを、それぞれにその段差内周に嵌合する前記外縁側部分１８ｄ，２０ｄ，…の厚みに等しくすると良い。例えば、皿状容器（大）１６の前記段差１６ｆの高さは、この段差１６ｆ内周に嵌合する、皿状容器（小）１８の前記外縁側部分１８ｄの厚みと等しくすると良い。そして、このようにすれば、段差１６ｆ，１８ｆ，…内周に嵌合する外縁側部分１８ｄ，２０ｄ，…は、各段差の内側に位置する内周側部分１６ｅ，１８ｅ，…の上面と前記蓋部１４の下面とに挟まれて支持されるため、もって収容される皿状容器１８，２０，…の支持状態を更に安定化させることができる。また、全ての皿状容器（大）１６，（小）１８，（極小）２０，…に亘って、外縁側部分１６ｄ，１８ｄ，２０ｄ，……の上面は互いに面一になるので、もってこれらに当接する蓋部１４に段状の折れ線が形成され難くなり、蓋部１４は平坦面を維持できて見栄えの良いものとなる。
【００４０】
更に、前記皿状容器（小）１８，（極小）２０，…に関して、各円環フランジ状の上端開口縁部１８ａ，２０ａ，…における前記外縁側部分１８ｄ，２０ｄ，…は、その全周に亘って前記蓋部１４の下面に剥離可能に貼着するようにしても良い。そして、このようにすれば、各皿状容器１８，２０，…の支持状態を更に安定化させることが可能となる。また、各皿状容器１８，２０，…の内側の空間１９，２１，…を密閉することができて、もって前記収納空間１７，１９，２１，…同士の隔離性を更に向上させることができる。
【００４１】
−−−第１実施形態の物品収納容器の開封手順−−−
ここで、第１実施形態の物品収納容器１０の開封手順を説明する。尚、この物品収納容器１０は、前述した望ましい構成を全て備えたものである。
図１に示す蓋部１４の摘み部１４ａを摘んで、蓋部１４を容器本体１２の上端開口縁部１２ａから剥がして分離すれば、前記容器本体１２は開封される。しかし、図３に示すように、未だこの蓋部１４には、皿状容器（大）１６および（小）１８が閉口状態で付着しており、もってこれらは未開封のままとなっている。ちなみに、本実施形態にあっては全ての皿状容器１６，１８は透明であるため、この未開封状態においても、その内側を容易に視認可能である。よって、皿状容器１６，１８の収容段数やその内容物等の情報を、皿状容器１６，１８の開封前に予め知ることができて、安全に開封することができる。
【００４２】
次に、前記皿状容器（大）１６の上端開口縁部１６ａから前記蓋部１４を剥がして分離すれば、皿状容器（大）１６は開封される。しかし、未だこの蓋部１４には、皿状容器（小）１８が閉口状態で付着している。
そして、最後に、前記皿状容器（小）１８の上端開口縁部１８ａから蓋部１４を剥がせば、皿状容器（小）１８は開封される。
【００４３】
尚、上記望ましい構成のうちの、前記外縁側部分１８ｄが蓋部１４に貼着される構成を備えていない場合には、蓋部１４を皿状容器（大）１６の上端開口縁部１６ａから剥がせば、皿状容器（大）１６および皿状容器（小）１８の全ての皿状容器が同時に開封されるのは言うまでもない。ちなみに、この開封時には、皿状容器（小）１８は皿状容器（大）に嵌合して支持されているので安定している。
【００４４】
＝＝＝　第２実施形態の物品収納容器　＝＝＝
図６は、本発明に係る第２実施形態の物品収納容器の縦断面図である。尚、図６においては、前記第１実施形態と同じ構成については同じ符号を付して示し、その同じ構成部分の説明は省略する。また、図が見え難くなるのを防ぐべく、皿状容器の断面線は省略して示している。
【００４５】
前記第１実施形態では、皿状容器（大）１６の上端開口縁部１６ａに、皿状容器（小）１８の上端開口縁部１８ａを載置することによって、皿状容器（小）１８は皿状容器（大）１６に支持されていたところ、本第２実施形態の物品収納容器１０’では、皿状容器（大）２６の内側に収容される皿状容器（小）２８は、皿状容器（大）２６には支持されず、蓋部１４の下面に貼着されて支持されている点で相違する。
【００４６】
すなわち、皿状容器（大）２６の内側に収容される皿状容器（小）２８の上端開口縁部２８ａは、前記段差１８ｆの無い平坦な円環フランジ状に形成され、この上端開口縁部２８ａの上面は全周に亘って前記蓋部１４の下面に剥離可能に貼着されており、もってこの皿状容器（小）１８は蓋部１４の下面に支持されている。そして、この上端開口縁部２８ａの外径は、前記皿状容器（大）２６の上端開口縁部２６ａの内径よりも小さく設定され、もって皿状容器（小）２８の上端開口縁部２８ａは、皿状容器（大）２６の上端開口縁部２６ａに載置されないようになっている。尚、この載置されないことに伴って、皿状容器（大）２６の円環フランジ状の上端開口縁部２６ａには、前記段差１６ｆは形成されず、もって上端開口縁部２６ａの上面も平坦に形成されている。
【００４７】
そして、この第２実施形態によれば、上端開口縁部２６ａ，２８ａに前記段差１６ｆ，１８ｆを形成せずに済むので、皿状容器形状の更なる単純化が図れる。
【００４８】
以上、本発明に係る実施形態について説明したが、本発明は、かかる実施形態に限定されるものではなく、その要旨を逸脱しない範囲で以下に示すような変形が可能である。
【００４９】
本実施形態においては、物品収納容器１０の使用例として、食品を収納するための食品収納容器を示したが、これに限るものではなく、例えば、パッケージ化された園芸商品の収納容器として用いても良い。すなわち、前記容器本体１２内には培養土等の土壌を収納する一方、前記皿状容器（大）１６内には植物の種子や球根等を、また前記皿状容器（小）１８内には肥料や殺虫剤等を収納しても良い。尚、開封後に、前記種子を前記土壌に埋めて前記容器本体１２をそのまま植木鉢代わりに使用しても良い。更には、皿状容器（大）１６の内径を容器本体１２の下端外径よりも大きく成形しておけば、皿状容器（大）１６の内側に容器本体１２を収容して置くことができて、もって皿状容器（大）１６を鉢用受け皿として用いることもできる。尚、この場合には、容器本体１２の底部１２ｃには、購入者が通気孔（排水孔）を貫通形成可能なように、前記通気孔用のミシン目が形成されているのは言うまでも無い。
【００５０】
また、本物品収納容器１０を、パッケージ化された昆虫商品の収納容器として使用して、もって昆虫販売に利用しても良い。すなわち、容器本体１２内には、土壌とともに昆虫やその卵を収納する一方、前記皿状容器（大）１６内には前記昆虫の固形状の餌等を、また前記皿状容器（小）１８内には液状の餌等を収納しても良い。尚、この場合、容器本体１２を閉塞する前記蓋部１４には、通気孔が形成されているのは言うまでもない。また、この容器本体１２を透明な素材で形成すれば、この容器本体１２自体を、内側が容易に観察可能な虫籠として使用することもできる。
【００５１】
本実施形態においては、容器本体１２の形状をテーパー円筒状にしたが、その形状はこれに限るものではなく、外径が高さ方向に亘って一定のストレート円筒状であっても良いし、更には横断面形状が正三角形や正六角形のような等辺多角形筒状であっても良い。
【００５２】
本実施形態においては、容器本体１２の上端開口縁部１２ａをフランジ状にしたが、上端開口縁部１２ａの全周に亘って蓋部１４を貼着可能であればこれに限るものではない。例えば、上端開口縁部１２ａの全周に亘って外側にカールさせても良い。
【００５３】
本実施形態においては、容器本体１２に紙管を用いたが、これに限るものではなく、発泡スチロール管等を用いても良い。
【００５４】
本実施形態においては、皿状容器１６，１８を透明なプラスチック製にしたが、前記皿状容器の内側を視認可能であればこれに限るものではなく、半透明なプラスチックにて成形しても良い。
【００５５】
第１実施形態においては、皿状容器（大）１６の上端開口縁部１６ａに形成した段差１６ｆに、皿状容器（小）１８の前記外縁側部分１８ｄを嵌合させることにより、皿状容器（小）１６の支持状態を安定化させたが、この支持状態が多少不安定でも問題ない場合には、前記段差１６ｆを形成せずに単に前記上端開口縁部１６ａの前記内縁側部分１６ｅに載置するだけでも良い。
【００５６】
【発明の効果】
以上説明したように、本発明によれば、内側に隔壁のない単純形状の皿状容器を用いて、互いに隔離された複数の収納空間を画成形成可能な物品収納容器を提供することができる。
【図面の簡単な説明】
【図１】本発明に係る第１実施形態の物品収納容器の外観を示す斜視図である。
【図２】前記第１実施形態の物品収納容器を構成物品単位に分解して示す分解斜視図である。
【図３】前記第１実施形態の物品収納容器の縦断面図である。
【図４】図３中のＩＶ部を拡大して示す拡大図である。
【図５】前記第１実施形態の変形例の縦断面図である。
【図６】本発明に係る第２実施形態の物品収納容器の縦断面図である。
【図７】従来の物品収納容器を構成物品単位に分解して示す分解斜視図である。
【符号の説明】
１　　　物品、食品、メインの食品
１０　　物品収納容器
１２　　容器本体
１２ａ　上端開口縁部
１４　　蓋部
１６　　第１の皿状容器、皿状容器（大）
１６ａ　上端開口縁部
１６ｄ　外縁側部分
１６ｅ　内縁側部分
１６ｆ　段差
１８　　皿状容器（小）
１８ａ　上端開口縁部
１８ｄ　外縁側部分
１８ｅ　内縁側部分
１８ｆ　段差
【図１】
2004067106.tif 000003
【図２】
2004067106.tif 000004
【図３】
2004067106.tif 000005
【図４】
2004067106.tif 000006
【図５】
2004067106.tif 000007
【図６】
2004067106.tif 000008
【図７】
2004067106.tif 000009